(57)【要約】【課題】  暖房不使用時であっても収納する必要がなく、居住の邪魔とならず、さらに窓からの冷輻射を抑制して快適な暖房を提供するとともに窓の室内側表面への結露も抑制するブラインドを提供する。【解決手段】  ブラインドを構成するブラインド羽根１の少なくとも一部が通電により発熱する。これにより、暖房不使用時にはブラインドとしてそのまま使用できるので、居住の邪魔とならず収納する必要がない。また、窓からの冷輻射を抑制して快適な暖房を提供でき、更に窓の室内側表面の結露を抑制することができる。【選択図】  図１
2005299108.tif 000002
【特許請求の範囲】
【請求項１】
通電することにより発熱するブラインド羽根を、少なくとも一部に備えたブラインド。
【請求項２】
発熱する前記ブラインド羽根への通電を調整する制御機器を備えた請求項１に記載のブラインド。
【請求項３】
発熱する前記ブラインド羽根の表面の少なくとも一部に、通電することにより発熱する塗料が塗布されている請求項１に記載ののブラインド。
【請求項４】
発熱する前記ブラインド羽根の表面の少なくとも一部に、通電することにより発熱する発熱体が貼着されている請求項１に記載のブラインド。
【請求項５】
発熱する前記ブラインド羽根の少なくとも一部が、通電することにより発熱する発熱体である請求項１に記載のブラインド。
【発明の詳細な説明】
【技術分野】
【０００１】
本発明は、暖房機能を備えたブラインドに関する。
【背景技術】
【０００２】
従来からの暖房機器として、石油ストーブ、石油ファンヒーター、温水ルームヒーター、エアコンディショナーなどがあるが、いずれも室内に専用の機器を配置あるいは設置する必要があり、暖房不使用時には機器を収納する必要があったり、あるいは設置したままにしておくと居住の邪魔になったりする。また、これらの暖房機器は窓からの冷輻射を直接抑制する効果がないので、特に窓際の室内温度が低くなる傾向にあり、居住者が不快感を感じる場合がある。さらに、窓の室内側表面付近温度と室内温度との差が大きいため、窓の室内側表面に結露が発生する場合もある。
【０００３】
特許文献１では、上下方向に配置される一対の支持側壁の少なくとも一方に熱媒体を循環させ、熱媒体の熱を一対の支持側壁の間に架け渡されたヒートパイプ、及びヒートパイプに支持されたブランド羽根に順に伝達し、ブラインド羽根から輻射させるブラインド型空気調和装置が提案されている（特許文献１）。この装置を窓に取り付けることにより、窓からの冷輻射と窓の室内側表面の結露とを抑制することが可能である。
【特許文献１】特開２０００−２７４７２０号公報
【発明の開示】
【発明が解決しようとする課題】
【０００４】
ところが、上記のブラインド型空気調和装置には、熱媒体としての温水を加熱し強制循環させるための温水供給装置と、これとブラインド型空気調和装置との間を接続する給湯配管が必要であり、大きな設置スペースが必要で暖房不使用時には居住の邪魔となるとともに、簡易に設置することはできない。
【０００５】
本発明は、暖房不使用時であっても収納する必要がなく、また居住の邪魔とならず、さらに窓からの冷輻射を抑制して快適な暖房を提供するとともに窓の室内側表面への結露も抑制することができるブラインドを提供することを目的とする。
【課題を解決するための手段】
【０００６】
本発明のブラインドは、通電することにより発熱するブラインド羽根を、少なくとも一部に備えたことを特徴とする。
【発明の効果】
【０００７】
本発明のブラインドは、通電により発熱するブラインド羽根を備えることにより、暖房不使用時にはブラインドとしてそのまま使用できるので、居住の邪魔とならず収納する必要がない。また、窓からの冷輻射を抑制して快適な暖房を提供でき、更に窓の室内側表面の結露を抑制することができる。
【発明を実施するための最良の形態】
【０００８】
図１は本発明の一実施形態に係るブラインドの概略構成図である。図２は、このブラインドを構成するブラインド羽根の一実施形態を示した斜視図である。
【０００９】
窓枠に取り付けられる棒状の取付部３の両端にブラインド羽根支持用糸２，１１が垂下され、糸２，１１の下端に棒状の下部錘部４が吊されている。取付部３と下部錘部４との間の複数のブラインド羽根１は、略等間隔で糸２，１１によりその両端で保持されている
。ブラインド羽根１の長手方向に沿った軸回りの傾斜角度、及び複数のブラインド羽根１及び下部錘部４の昇降位置は、開閉操作部８を操作することにより調整できる。糸２は導電性材料からなる。
【００１０】
全てのブラインド羽根１の片面の一部の領域に、図２に示すように発熱塗料９が塗布されている。発熱塗料９としては、例えば炭素系導電性発熱塗料を用いることができる。発熱塗料９をブラインド羽根１の片面の全面に塗布しても良いし、ブラインド羽根１の両面に塗布しても良い。発熱塗料９の塗布模様や塗布厚は任意に設定することができ、これによりさまざまな発熱容量のブラインド羽根を容易に作製することができる。
【００１１】
発熱塗料９と導電性の糸２とは、ブラインド羽根１の表面に形成された導電性材料からなる発熱部通電線１０により電気的に接続されている。糸２は取り付け部３において電源線７の一端に接続されている。電源線７の他端には電源プラグ６が取り付けられ、電源線７の途中には通電調整装置５が配置されている。
【００１２】
電源プラグ６から供給された電力は、電源線７，糸２，発熱部通電線１０を介して発熱塗料９に供給され、発熱塗料９が発熱する。通電調整装置５を用いて発熱塗料９に供給される電力量を調整すると、その発熱量が変化する。これにより、快適な暖房状態を得ることができる。
【００１３】
本発明のブラインドは、通電することにより発熱するブラインド羽根１を備え、ブラインド羽根支持用糸２を介してブラインド羽根１に電力を供給してブラインド羽根１を発熱させて暖房を行う。
【００１４】
暖房を必要としない時には通電を停止することにより暖房機能のない通常のブラインドと同様に使用することができる。したがって、暖房不使用時であっても居住の邪魔とならず、取り外して収納する必要がない。
【００１５】
また、本発明のブラインドを窓に近接して設置することにより、窓からの冷輻射を抑制することができるので、快適な暖房を提供することができる。
【００１６】
さらに、窓の室内側表面付近の温度を上昇させることができるため、窓の室内側表面の結露を抑制することができる。
【００１７】
上記の実施形態では、全てのブラインド羽根１が発熱塗料９が塗布された発熱するブラインド羽根であったが、本発明はこれに限定されず、複数のブラインド羽根のうちの一部のみが発熱するブラインド羽根であっても良い。その場合、発熱するブラインド羽根をどのように配置するかは特に制限はないが、ブラインド羽根が水平方向に架け渡される図１に示すようなブランドにおいては、発熱するブラインド羽根は上下方向において等間隔に配置することが好ましい。発熱するブラインド羽根の上下方向の配置間隔を不規則とした場合、特に発熱するブラインド羽根を上部に偏在させた場合は、窓からの冷気の流れの抑制効果と窓の室内側表面の結露抑制効果とが低下する。
【００１８】
また、上記の実施形態では発熱するブラインド羽根への電力の供給は、ブラインド羽根支持用糸２を介して行ったが、糸２，１１とは別に設けられた専用の電力供給線を介して行っても良い。
【００１９】
また、上記の実施形態では、発熱するブラインド羽根への通電を調整する通電調整装置５を電源線７の途中に設けたが、本発明はこれに限定されず、通電調整装置５を取付部３又は下部錘部４の内部に組み込んでも良い。また、通電調整装置５を省略することも可能
である。但し、通電調整装置５を設けると、室内状況に応じた発熱量に調整することができ、快適な暖房が得られるので好ましい。
【００２０】
また、上記の実施形態では、ブラインド羽根１の表面に発熱塗料９を塗布したが、本発明はこれに限定されず、ブラインド羽根１の表面の少なくとも一部に、通電することにより発熱する発熱体を貼着しても良い。例えば、帯状のＰＴＣ素子を耐熱接着材でブラインド羽根に貼り付けることができる。これにより発熱するブラインド羽根を容易に作成できる。
【００２１】
あるいは、発熱するブラインド羽根の少なくとも一部を、通電することにより発熱する発熱体としても良い。例えば、帯状のＰＴＣ素子の表面に自己支持性が得られるように樹脂コーティングをして補強した発熱体をブラインド羽根として用いることができる。これにより発熱するブラインド羽根の製造工程の簡略化と部品点数の削減が可能になる。
【００２２】
上記の実施形態では、ブラインド羽根が水平方向に架け渡されるブランドを例に説明したが、ブランド羽根が上下方向に懸垂される周知のブラインドに本発明を適用することもできる。
【図面の簡単な説明】
【００２３】
【図１】本発明の一実施形態に係るブラインドの概略構成図
【図２】本発明の一実施形態に係るブラインドのブラインド羽根の一例を示す斜視図
【符号の説明】
【００２４】
１    ブラインド羽根
２    電気供給線兼用ブラインド羽根支持用糸
３    取付部
４    下部錘部
５    通電調整装置
６    電源プラグ
７    電源線
８    ブラインド開閉操作部
９    発熱塗料
１０  発熱部通電線
１１  ブラインド羽根支持用糸
【図１】
2005299108.tif 000003
【図２】
2005299108.tif 000004